(57)【要約】【課題】  この発明は、受信状況が悪くなったときに、着脱式のアンテナを装着すべき旨をユーザに知らせることができるとともに、着脱式のアンテナが装着された後に受信状況が悪くなった場合には受信モードをダイバーシティ受信モードにさせることができるダイバーシティ受信機を提供することを目的とする。【解決手段】  受信モードがシングル受信モードである場合において、受信状態が悪いと判別されたときには、着脱式のアンテナが装着されているか否かを判別する判別手段、着脱式のアンテナが装着されいていると判別した場合には、受信モードを常設のアンテナによって受信された信号と着脱式のアンテナによって受信された信号との両方から受信データを生成するダイバーシティ受信モードに切り換える手段、ならびに着脱式のアンテナが装着されていないと判別した場合には、着脱式のアンテナを装着するようにユーザに報知する報知手段を備えている。【選択図】  図１
2006339743.tif 000002
【特許請求の範囲】
【請求項１】
常設のアンテナと着脱式のアンテナとを備えたダイバーシティ受信機において、
着脱式のアンテナが装着されているか否かを検知するアンテナ検出手段、
電源がオンされたときには、受信モードを常設のアンテナによって受信された信号のみから受信データを生成するシングル受信モードに設定する手段、
受信状態を監視し、受信状態が良いか悪いかを判別する第１判別手段、
受信モードがシングル受信モードである場合において、第１判別手段によって受信状態が悪いと判別されたときには、アンテナ検出手段からの検知信号に基づいて、着脱式のアンテナが装着されいているか否かを判別する第２判別手段、
第２判別手段によって着脱式のアンテナが装着されていると判別した場合には、受信モードを常設のアンテナによって受信された信号と着脱式のアンテナによって受信された信号との両方から受信データを生成するダイバーシティ受信モードに切り換える手段、ならびに
第２判別手段によって着脱式のアンテナが装着されていないと判別した場合には、着脱式のアンテナを装着するようにユーザに報知する報知手段、
を備えていることを特徴とするダイバーシティ受信機。
【請求項２】
受信モードがダイバーシティ受信モードである場合において、第１判別手段によって受信状態が良いと判別された場合には、受信モードをシングル受信モードに切り換える手段を備えていることを特徴とする請求項１に記載のダイバーシティ受信機。
【請求項３】
常設のアンテナと手動伸縮式アンテナとを備えたダイバーシティ受信機において、
手動伸縮式アンテナが伸ばされているか否かを検知するアンテナ検出手段、
電源がオンされたときには、受信モードを常設のアンテナによって受信された信号のみから受信データを生成するシングル受信モードに設定する手段、
受信状態を監視し、受信状態が良いか悪いかを判別する第１判別手段、
受信モードがシングル受信モードである場合において、第１判別手段によって受信状態が悪いと判別されたときには、アンテナ検出手段からの検知信号に基づいて、手動伸縮式アンテナが伸ばされているか否かを判別する第２判別手段、
第２判別手段によって手動伸縮式アンテナが伸ばされていると判別した場合には、受信モードを常設のアンテナによって受信された信号と手動伸縮式アンテナによって受信された信号との両方から受信データを生成するダイバーシティ受信モードに切り換える手段、ならびに
第２判別手段によって手動伸縮式アンテナが伸ばされていないと判別した場合には、手動伸縮式アンテナを伸ばすようにユーザに報知する報知手段、
を備えていることを特徴とするダイバーシティ受信機。
【請求項４】
受信モードがダイバーシティ受信モードである場合において、第１判別手段によって受信状態が良いと判別された場合には、受信モードをシングル受信モードに切り換える手段を備えていることを特徴とする請求項３に記載のダイバーシティ受信機。
【発明の詳細な説明】
【技術分野】
【０００１】
この発明は、ダイバーシティ受信機に関する。
【背景技術】
【０００２】
アンテナを２本備えたダイバーシティ受信機として、一方のアンテナが常設のアンテナ（電源オン時に自動的に伸ばされる電動式伸縮アンテナを含む）であるが、他方のアンテナがイヤホンアンテナのように着脱式のアンテナである場合がある。また、アンテナを２本備えたダイバーシティ受信機として、一方のアンテナが常設のアンテナであるが、他方のアンテナが手動で伸縮せしめられる手動伸張式アンテナである場合がある。
【０００３】
電源オン時に、着脱式のアンテナが装着されていない場合（または手動伸張式アンテナが伸ばされていない場合）には、受信モードが１本の通常アンテナのみを用いて放送波を受信するシングル受信モードとされる。受信状態がよい場合には、シングル受信モードでも充分対応できる。しかしながら、受信状態が悪くなった場合には、２本のアンテナで放送波を受信するダイバーシティ受信モードに受信モードを切り換えることが好ましいが、着脱式のアンテナが装着されていない場合（手動伸張式アンテナが伸ばされていない場合）には、ダイバーシティ受信できない。
【発明の開示】
【発明が解決しようとする課題】
【０００４】
この発明は、常設のアンテナと着脱式のアンテナとを備えたダイバーシティ受信機において、着脱式のアンテナが装着されておらず受信モードがシングル受信モードとされている場合において、受信状況が悪くなったときに、着脱式のアンテナを装着すべき旨をユーザに知らせることができるとともに、着脱式のアンテナが装着された後に受信状況が悪くなった場合には受信モードをダイバーシティ受信モードにさせることができるダイバーシティ受信機を提供することを目的とする。
【０００５】
また、この発明は、常設のアンテナと手動で伸縮せしめられる手動伸張式アンテナとを備えたダイバーシティ受信機において、手動伸張式アンテナが伸ばされておらず受信モードがシングル受信モードとされている場合において、受信状況が悪くなったときに、手動伸張式アンテナを伸ばすべき旨をユーザに知らせることができるとともに、手動伸張式アンテナが伸ばされた後に受信状況が悪くなった場合には受信モードをダイバーシティ受信モードにさせることができるダイバーシティ受信機を提供することを目的とする。
【課題を解決するための手段】
【０００６】
請求項１に記載の発明は、常設のアンテナと着脱式のアンテナとを備えたダイバーシティ受信機において、着脱式のアンテナが装着されているか否かを検知するアンテナ検出手段、電源がオンされたときには、受信モードを常設のアンテナによって受信された信号のみから受信データを生成するシングル受信モードに設定する手段、受信状態を監視し、受信状態が良いか悪いかを判別する第１判別手段、受信モードがシングル受信モードである場合において、第１判別手段によって受信状態が悪いと判別されたときには、アンテナ検出手段からの検知信号に基づいて、着脱式のアンテナが装着されているか否かを判別する第２判別手段、第２判別手段によって着脱式のアンテナが装着されいていると判別した場合には、受信モードを常設のアンテナによって受信された信号と着脱式のアンテナによって受信された信号との両方から受信データを生成するダイバーシティ受信モードに切り換える手段、ならびに第２判別手段によって着脱式のアンテナが装着されていないと判別した場合には、着脱式のアンテナを装着するようにユーザに報知する報知手段を備えていることを特徴とする。
【０００７】
請求項２に記載の発明は、請求項１に記載の発明において、受信モードがダイバーシティ受信モードである場合において、第１判別手段によって受信状態が良いと判別された場合には、受信モードをシングル受信モードに切り換える手段を備えていることを特徴とする。
【０００８】
請求項３に記載の発明は、常設のアンテナと手動伸縮式アンテナとを備えたダイバーシティ受信機において、手動伸縮式アンテナが伸ばされているか否かを検知するアンテナ検出手段、電源がオンされたときには、受信モードを常設のアンテナによって受信された信号のみから受信データを生成するシングル受信モードに設定する手段、受信状態を監視し、受信状態が良いか悪いかを判別する第１判別手段、受信モードがシングル受信モードである場合において、第１判別手段によって受信状態が悪いと判別されたときには、アンテナ検出手段からの検知信号に基づいて、手動伸縮式アンテナが伸ばされているか否かを判別する第２判別手段、第２判別手段によって手動伸縮式アンテナが伸ばされていると判別した場合には、受信モードを常設のアンテナによって受信された信号と手動伸縮式アンテナによって受信された信号との両方から受信データを生成するダイバーシティ受信モードに切り換える手段、ならびに第２判別手段によって手動伸縮式アンテナが伸ばされていないと判別した場合には、手動伸縮式アンテナを伸ばすようにユーザに報知する報知手段を備えていることを特徴とする。
【０００９】
請求項４に記載の発明は、請求項３に記載の発明において、受信モードがダイバーシティ受信モードである場合において、第１判別手段によって受信状態が良いと判別された場合には、受信モードをシングル受信モードに切り換える手段を備えていることを特徴とする。
【発明の効果】
【００１０】
この発明によれば、常設のアンテナと着脱式のアンテナとを備えたダイバーシティ受信機において、着脱式のアンテナが装着されておらず受信モードがシングル受信モードとされている場合において、受信状況が悪くなったときに、着脱式のアンテナを装着すべき旨をユーザに知らせることができるとともに、着脱式のアンテナが装着された後に受信状況が悪くなった場合には受信モードをダイバーシティ受信モードにさせることができるようになる。
【００１１】
また、この発明によれば、常設のアンテナと手動で伸縮せしめられる伸張式アンテナとを備えたダイバーシティ受信機において、伸張式アンテナが伸ばされておらず受信モードがシングル受信モードとされている場合において、受信状況が悪くなったときに、伸張式アンテナを伸ばすべき旨をユーザに知らせることができるとともに、伸張式アンテナが伸ばされた後に受信状況が悪くなった場合には受信モードをダイバーシティ受信モードにさせることができるようになる。
【発明を実施するための最良の形態】
【００１２】
以下、図面を参照して、この発明の実施例について説明する。
【実施例１】
【００１３】
図１は、ダイバーシティ受信機の電気的構成を示している。
【００１４】
アンテナ１は常設のアンテナ（電源オン時に自動的に伸ばされる電動式伸縮アンテナを含む）であり、アンテナ２はイヤホンアンテナのように着脱式のアンテナである。アンテナ１、２は空中の電波を電気信号に変換し、それぞれ後段のアンテナ受信回路３、４に供給する。
【００１５】
各アンテナ受信回路３、４は、アンテナ１、２からの微弱な電気信号を後段の共通受信回路５で信号処理しやすいように一定振幅の電気信号に増幅するとともに、空間伝送されるＲＦ信号を中間周波数信号（ＩＦ信号）またはＲＦ信号に変調される前のベースバンド信号（ＢＢ信号）に変換する。これらのアンテナ受信回路３、４と共通受信回路５とによってチューナ部１０が構成されているが、アンテナ受信回路３、４は一般にはアナログ回路であり、ノイズや歪みのない良好な特性を得るためにはある程度の電力を使用する必要がある。このため、アンテナ受信回路３、４の消費電力は、チューナ部１０全体の消費電力の大半を占める場合が多い。
【００１６】
アンテナ受信回路３、４で増幅および周波数変換された信号は、共通受信回路５に入力される。共通受信回路５では、入力された信号を、テレビの映像・音声やラジオの音声など、元の伝送したい信号に戻すための復調処理が行なわれ、得られた信号は受信データとしてＣＰＵ６に渡される。アナログ放送の場合は、共通受信回路５から直接、提示部７や記録回路８に受信データが渡される場合が多いが、デジタル放送の場合には、ＣＰＵ６で更にデジタル信号の暗号化の解除や、圧縮処理の復号化が行なわれた後、提示部７や記録回路８に受信データが渡される。提示部７は、ＣＰＵ６からの信号に応じてモニタやスピーカを介して、映像や音声を提示する。なお、ＣＰＵ６には、操作部９が接続されている。
【００１７】
共通受信回路５は、各アンテナ受信回路３、４からの信号を復調する際に得られる受信状態の情報を検出する受信状況検出部５ａを備えている。受信状況検出部５ａによって検出された受信状態の情報は、ＣＰＵ６により、チューナ制御信号を通して読み出させるようにしてある。受信状態の情報には、アンテナからの信号状態に応じて変化するＡＧＣ信号のレベル、復調の際にエラー訂正を行なうことによって得られるビットエラーレート（ＢＥＲ）、ずれ異常数（希望信号とノイズ信号の比率（Ｃ／Ｎ）と等価の信号）などがある。
【００１８】
また、共通受信回路５は、ＣＰＵ６からチューナ制御信号を通して、アンテナ受信回路３、４の電源制御を行なうこともできる。
【００１９】
アンテナ検出部１１は、着脱式のアンテナ２が装着されているか否かを検知し、検知した状態をアンテナ検知信号によってＣＰＵ６に通知する。レギュレータ回路１３は、電池１２から供給される電力に基づいて各部の電源を生成する。
【００２０】
ＣＰＵ６は、受信状態の情報を監視し、基本的には、受信状態がよい場合には受信モードをアンテナ１のみによって受信された信号から受信データを生成するシングル受信モードに設定し、受信状態が悪い場合には受信モードをアンテナ１、２によって受信された信号から受信データを生成するダイバーシティ受信モードに設定する。ただし、着脱式のアンテナ２が装着されてない場合には、ダイバーシティ受信モードによる受信ができないので、ダイバーシティ受信モードに移行するにあたっては、着脱式のアンテナ２が装着されているか否かを判別し、装着されている場合にはダイバーシティ受信モードに移行し、装着されていない場合には、ダイバーシティ受信モードに移行せず、着脱式のアンテナ２を装着するようにユーザに報知する。
【００２１】
ＣＰＵ６は、受信モードに応じて、共通受信回路５を介してアンテナ受信回路４の電源を制御する。つまり、シングル受信モード時にはアンテナ受信回路４の電源をオフにするようにアンテナ受信回路４の電源を制御し、ダイバーシティ受信モードにはアンテナ受信回路４の電源をオンにするようにアンテナ受信回路４の電源を制御する。なお、アンテナ受信回路３の電源は、シングル受信モード時およびダイバーシティ受信モード時のいずれにおいてもオンとなるように制御される。
【００２２】
図２は、ＣＰＵ６による受信モード切り換え処理の手順を示している。
【００２３】
電源が入れられると、アンテナ検出部１１からのアンテナ検知信号に基づいて、着脱式のアンテナ２が装着されているか否かを判別する（ステップＳ１）。着脱式のアンテナ２が装着されていない場合には、受信モードをシングル受信モードに設定する（ステップＳ２）。したがって、アンテナ１によって受信された信号のみに基づいて受信データが生成される。この場合には、アンテナ受信回路３には電源が供給されるが、アンテナ受信回路４には電源は供給されない。
【００２４】
所定時間（例えば、０．５秒〜１秒）待機した後（ステップＳ３）、共通受信回路５内の受信状況検出部５ａによって検出された受信状態の情報を読み込む（ステップＳ４）。そして、受信状態が良いか悪いかを判別する（ステップＳ５）。例えば、ＡＧＣ信号のレベルが所定の閾値より大きれば、受信状態が悪いと判別する。あるいは、ビットエラーレート（ＢＥＲ）が所定の閾値より大きければ、受信状態が悪いと判別する。あるいは、ずれ異常数が所定の閾値より大きければ、受信状態が悪いと判別する。
【００２５】
受信状態が良いと判別された場合には、ステップＳ３に戻る。受信状態が悪いと判別された場合には、アンテナ検出部１１からのアンテナ検知信号に基づいて、着脱式のアンテナ２が装着されているか否かを判別する（ステップＳ６）。
【００２６】
ステップＳ６において、着脱式のアンテナが装着されていると判別した場合には、受信モードをダイバーシティ受信モードに切り換える（ステップＳ８）。この場合には、アンテナ受信回路４にも電源が供給され、アンテナ１および２によって受信された信号に基づいて受信データが生成される。そして、ステップＳ９に移行する。
【００２７】
上記ステップＳ６において、着脱式のアンテナ２が装着されていないと判別した場合には、着脱式のアンテナ２を装着するようにユーザに報知する（ステップＳ７）。具体的には、提示部７を介して着脱式のアンテナ２を装着することをユーザに指示するためのメッセージを表示したり、警告音を出力したりする。そして、ステップＳ３に戻る。
【００２８】
ステップＳ９においては、所定時間（例えば、０．５秒〜１秒）待機する。そして、共通受信回路５内の受信状況検出部５ａによって検出された受信状態の情報を読み込む（ステップＳ１０）。そして、受信状態が良いか悪いかを判別する（ステップＳ１１）。この処理は、上記ステップＳ５と同様である。
【００２９】
受信状態が悪いと判別された場合には、カウンタのカウント値ＣＮＴを０にした後（ステップＳ１２）、ステップＳ９に戻る。受信状態が良いと判別された場合には、カウンタのカウント値ＣＮＴを１だけインクリメント（ＣＮＴ＝ＣＮＴ＋１）した後（ステップＳ１３）、カウンタのカウント値ＣＮＴが所定値Ｋ（例えば１０）に達したか否かを判定する（ステップＳ１４）。
【００３０】
カウント値ＣＮＴが所定値Ｋ未満である場合には、ステップＳ９に戻る。カウント値ＣＮＴが所定値Ｋ以上である場合には、つまり、Ｋ回連続して受信状態が良いと判別された場合には、受信モードをシングル受信モードに切り換える（ステップＳ１５）。そして、ステップＳ３に戻る。
【００３１】
上記ステップＳ１において、着脱式のアンテナ２が装着されていると判別した場合には、受信モードをダイバーシティ受信モードに設定する（ステップＳ１６）。そして、ステップＳ９に移行する。
【００３２】
上記着脱式アンテナ２の代わりに手動伸張式アンテナが用いられている場合にも、この発明を適用することができる。この場合には、アンテナ検出部１１は、手動伸張式アンテナ２が伸ばされているか否かを検知し、検知した状態をアンテナ検知信号によってＣＰＵ６に通知する。上記ステップＳ６では、アンテナ検出部１１からのアンテナ検知信号に基づいて、手動伸張式アンテナ２が伸ばされているか否かを判別する。手動伸張式アンテナ２が伸ばされていると判別した場合には、受信モードがダイバーシティ受信モードに切り換えられる（上記ステップＳ８に相当）。手動伸張式アンテナ２が伸ばされていないと判別した場合には、手動伸張式アンテナ２を伸ばすようにユーザに報知する（上記ステップＳ７に相当）。
【図面の簡単な説明】
【００３３】
【図１】ダイバーシティ受信機の電気的構成を示すブロック図である。
【図２】ＣＰＵ６による受信モード切り換え処理の手順を示すフローチャートである。
【符号の説明】
【００３４】
１  常設のアンテナ
２  着脱式のアンテナ
３、４  アンテナ受信回路
５  共通受信回路
１０  チューナ部
５ａ  受信状況検出部
６  ＣＰＵ
７  提示部
８  記録回路
９  操作部
１１  アンテナ検出部
【図１】
2006339743.tif 000003
【図２】
2006339743.tif 000004